(57)【特許請求の範囲】
【請求項１】
火災、ガス漏れ又は防犯等のセンサ並びに非常用押しボタンスイッチ又は来客用押しボタンスイッチ等からの信号を入力してこの信号を内蔵の無線送信手段又は外付けの無線送信機にて送信する警報送信機と、
この警報送信機とは別体に設けられた携帯式の警報受信機と、
を備えた福祉用防災システムであって、
前記警報受信機は、
前記警報送信機から送信された信号を受信する受信手段と、
前記受信手段で受信信号がなければ、バッテリ電圧のチェックを行い、バッテリ電圧が所定値以下でなければ時刻を表示し、バッテリ電圧が所定値以下であればバッテリ電圧低下を表示する表示手段と、
火災、ガス漏れ、侵入、非常及び来客等を知らせる為の複数のメッセージ及び複数のキャラクタを記憶する記憶手段と、
前記受信手段にて受信信号があれば、受信された信号の内容に対応するメッセージ及びこのメッセージ表示に対応したキャラクタを前記記憶手段から読み出して前記表示手段の表示より切り替えて表示する表示制御手段と、
前記警報受信機本体を振動させる振動手段と、
前記表示制御手段による前記メッセージ及びこのメッセージ表示に対応したキャラクタの前記表示手段への表示と同時に前記受信手段にて受信された信号の内容に応じて前記振動手段を制御する振動制御手段と、
防犯を報知するか否かをセットする防犯セットキー、来客を報知するか否かをセットする来客セットキー、及び停止キーを少なくとも含む操作キーと、
を備え、
前記表示制御手段は、
前記操作キーの防犯セットキーにより防犯を報知しないとセットされた場合は、前記受信手段により侵入に係る信号が受信されても該信号の内容に応じたメッセージ及びキャラクタの表示を行わないように制御し、前記操作キーの来客セットキーにより来客を報知しないとセットされた場合は、前記受信手段により来客に係る信号が受信されても該信号の内容に応じたメッセージ及びキャラクタの表示を行わないように制御し、前記操作キーの停止キーが操作された場合は、表示させている前記受信手段により受信された信号の内容に対応するメッセージ及びキャラクタの表示を停止するように制御し、
前記振動制御手段は、
前記操作キーの防犯セットキーにより防犯を報知しないとセットされた場合は、前記受信手段により侵入に係る信号が受信されても該信号の内容に応じた振動を行なわないように制御し、前記操作キーの来客セットキーにより来客を報知しないとセットされた場合は、前記受信手段により来客に係る信号が受信されても該信号の内容に応じた振動を行なわないように制御し、前記操作キーの停止キーが操作された場合は、前記受信手段により受信された信号の内容に対応する振動を停止するように制御することを特徴とする福祉用防災システム。
【請求項２】
前記振動制御手段は、前記受信手段にて受信された信号に基づいて緊急の度合いを判定し、緊急の度合いが大きいと判断した場合には前記振動手段の振動が強くなるように動作させ、緊急の度合いが小さいと判断した場合には前記振動手段の振動が弱くなるように動作させることを特徴とする請求項１記載の福祉用防災システム。
【請求項３】
前記振動制御手段は、前記受信手段にて受信された信号に基づいて緊急の度合いを判定し、緊急の度合いが大きいと判断した場合には前記振動手段を短い間隔で断続的に動作させ、緊急の度合いが小さいと判断した場合には緊急の度合いが大きいと判断した場合よりも長い間隔で前記振動手段を断続的に動作させることを特徴とする請求項１記載の福祉用防災システム。
【請求項４】
可視的な光を出力する光出力手段と、
前記受信にて受信された信号に応じて前記光出力手段を動作させる光出力制御手段と、
を更に備えたことを特徴とする請求項１乃至３のいずれに記載の福祉用防災システム。
【請求項５】
前記光出力手段は、複数の色の異なる光の出力が可能であり、
前記光出力制御手段は、前記受信手段にて受信された信号に基づいて緊急の度合いを判定し、その度合いに応じて前記光出力手段の発光色を変化させることを特徴とする請求項４記載の福祉用防災システム。
【請求項６】
前記表示手段の表示部分の照明を行なう照明手段を更に備えたことを特徴とする請求項１乃至４のいずれに記載の福祉用防災システム。
【請求項７】
火災、ガス漏れ、防犯、非常及び来客等を知らせる為の複数のメッセージ及びこのメッセージ表示に対応した複数のキャラクタを記憶する記憶手段と、
前記警報送信機から送信された信号を受信する受信手段と、
この受信手段により受信された信号の内容に対応するメッセージ及びこのメッセージ表示に対応したキャラクタを前記記憶手段から読み出して前記表示手段の表示より切り替えて表示する表示制御手段と、
受信した前記警報送信機からの信号を前記警報受信機へ向けて送信する送信手段と、
を備えた警報送受信機を、
更に備えたことを特徴とする請求項１乃至６のいずれに記載の福祉用防災システム。
【発明の詳細な説明】
【０００１】
【産業上の利用分野】
本発明は、高齢者や難聴者及び視覚障害者等のハンディキャップを負った身体障害者に対して住戸内における火災、ガス漏れ、侵入及び非常や来客等を知らせる福祉用防災システムに関する。
【０００２】
【従来の技術】
従来、この種の福祉用防災システムとして、例えば図１９に示すように火災、ガス漏れ又は防犯等のセンサ自体又はこれらセンサの近傍に設けられ、センサからの信号を貰って警報ランプを点灯させるものや匂を発生させるもの、或いは一般の防災システムの受信機から移報信号を貰って警報ランプを点灯させるものが知られている。なお、警報ランプとしては難聴者が気付き易いように主にストロボランプが使用される。
【０００３】
【発明が解決しようとする課題】
ところで、上述した従来の福祉用防災システムにあっては、次のような問題点があった。
（イ）センサや警報ランプを固定して設置するので、身体の正常な人であってもその設置場所以外に居る場合には異常等が生じても気付かないし、設置場所であってもセンサや警報ランプが背後にある場合には気付き難い。とりわけ、高齢者や難聴者及び視覚障害者等のハンディキャップを負った身体障害者にとっては顕著である。
（ロ）匂を発生させて異常を知らせるようにしても匂の届かない所では異常が生じても気付かないし、匂を発生させる香料が無くなった場合はこれを補充しなければならない。
（ハ）このシステムの設置には工事が必要であり、高齢者や難聴者及び視覚障害者等のハンディキャップを負った身体障害者が行なえるものではない。
（ニ）借家にあっては工事の際に壁面を傷付けることから家主に嫌がられる。
【０００４】
そこで本発明は、難聴者及び視覚障害者等のハンディキャップを負った身体障害者に自家で生じた異常や来客を確実に知らせることができると共に取り付け工事を極力少なくすることができる福祉用防災システムを提供することを目的としている。
【０００５】
【課題を解決するための手段】
上記目的達成のため、請求項１記載の発明による福祉用防災システムは、火災、ガス漏れ又は防犯等のセンサ並びに非常用押しボタンスイッチ又は来客用押しボタンスイッチ等からの信号を入力してこの信号を内蔵の無線送信手段又は外付けの無線送信機にて送信する警報送信機と、
この警報送信機とは別体に設けられた携帯式の警報受信機と、
を備えた福祉用防災システムであって、
前記警報受信機は、
前記警報送信機から送信された信号を受信する受信手段と、
前記受信手段で受信信号がなければ、バッテリ電圧のチェックを行い、バッテリ電圧が所定値以下でなければ時刻を表示し、バッテリ電圧が所定値以下であればバッテリ電圧低下を表示する表示手段と、
火災、ガス漏れ、侵入、非常及び来客等を知らせる為の複数のメッセージ及び複数のキャラクタを記憶する記憶手段と、
前記受信手段にて受信信号があれば、受信された信号の内容に対応するメッセージ及びこのメッセージ表示に対応したキャラクタを前記記憶手段から読み出して前記表示手段の表示より切り替えて表示する表示制御手段と、
前記警報受信機本体を振動させる振動手段と、
前記表示制御手段による前記メッセージ及びこのメッセージ表示に対応したキャラクタの前記表示手段への表示と同時に前記受信手段にて受信された信号の内容に応じて前記振動手段を制御する振動制御手段と、
防犯を報知するか否かをセットする防犯セットキー、来客を報知するか否かをセットする来客セットキー、及び停止キーを少なくとも含む操作キーと、
を備え、
前記表示制御手段は、
前記操作キーの防犯セットキーにより防犯を報知しないとセットされた場合は、前記受信手段により侵入に係る信号が受信されても該信号の内容に応じたメッセージ及びキャラクタの表示を行わないように制御し、前記操作キーの来客セットキーにより来客を報知しないとセットされた場合は、前記受信手段により来客に係る信号が受信されても該信号の内容に応じたメッセージ及びキャラクタの表示を行わないように制御し、前記操作キーの停止キーが操作された場合は、表示させている前記受信手段により受信された信号の内容に対応するメッセージ及びキャラクタの表示を停止するように制御し、
前記振動制御手段は、
前記操作キーの防犯セットキーにより防犯を報知しないとセットされた場合は、前記受信手段により侵入に係る信号が受信されても該信号の内容に応じた振動を行なわないように制御し、前記操作キーの来客セットキーにより来客を報知しないとセットされた場合は、前記受信手段により来客に係る信号が受信されても該信号の内容に応じた振動を行なわないように制御し、前記操作キーの停止キーが操作された場合は、前記受信手段により受信された信号の内容に対応する振動を停止するように制御することを特徴とする。
【０００６】
また、好ましい態様として例えば請求項２記載の発明のように、前記振動制御手段に、前記受信手段にて受信された信号に基づいて緊急の度合いを判定し、緊急の度合いが大きいと判断した場合には前記振動手段の振動が強くなるように動作させ、緊急の度合いが小さいと判断した場合には前記振動手段の振動が弱くなるように動作させる機能を設けても良い。
例えば請求項３記載の発明のように、前記振動制御手段に、前記受信手段にて受信された信号に基づいて緊急の度合いを判定し、緊急の度合いが大きいと判断した場合には前記振動手段を短い間隔で断続的に動作させ、緊急の度合いが小さいと判断した場合には緊急の度合いが大きいと判断した場合よりも長い間隔で前記振動手段を断続的に動作させる機能を設けても良い。
【０００７】
例えば請求項４記載の発明のように、可視的な光を出力する光出力手段と、前記受信にて受信された信号に応じて前記光出力手段を動作させる光出力制御手段とを更に備えても良い。
例えば請求項５記載の発明のように、前記光出力手段は、複数の色の異なる光の出力が可能であるものとし、また、前記光出力制御手段に、前記受信手段にて受信された信号に基づいて緊急の度合いを判定し、その度合いに応じて前記光出力手段の発光色を変化させる機能を設けても良い。
例えば請求項６記載の発明のように、前記表示手段の表示部分の照明を行なう照明手段を更に備えても良い。
【０００８】
例えば請求項７記載の発明のように、火災、ガス漏れ、防犯、非常及び来客等を知らせる為の複数のメッセージ及びこのメッセージ表示に対応した複数のキャラクタを記憶する記憶手段と、
前記警報送信機から送信された信号を受信する受信手段と、
この受信手段により受信された信号の内容に対応するメッセージ及びこのメッセージ表示に対応したキャラクタを前記記憶手段から読み出して前記表示手段に表示する表示制御手段と、
受信した前記警報送信機からの信号を前記警報受信機へ向けて送信する送信手段と、
を備えた警報送受信機を、更に備えても良い。
【００１１】
【作用】
本発明では、火災、ガス漏れ又は防犯等のセンサ並びに非常用押しボタンスイッチ又は来客用押しボタンスイッチ等から信号が出力されると、その信号が無線信号に変換されて送信される。そして、送信された信号が携帯式の警報受信機にて受信されると、その警報受信機の表示手段に異常又は来客に応じたメッセージ及びこのメッセージ表示に対応したキャラクタが表示されると共に警報受信機本体が振動する。特に火災、ガス漏れ、侵入及び非常等の緊急の場合は通常よりも大きく振動する。このとき、セット状態では表示制御手段と振動制御手段による表示と振動を行い、セットされていない状態では表示制御手段と振動制御手段による表示及び振動を行わないように制御することが行われる。
したがって、警報受信機を常時持ち歩くことができると共にメッセージ及びキャラクタ表示と振動で異常を知らせることから、高齢者や難聴者及び視覚障害者等のハンディキャップを負った身体障害者でも確実に自家で生じた異常や来客を知ることができる。また、警報受信機は無線式であることから、取り付け工事が必要であり、その分取り付け工事の省力化が図れると共に壁面に与える傷を最小限に抑えることができる。
【００１２】
更に、本発明では、火災、ガス漏れ又は防犯等のセンサ並びに非常用押しボタンスイッチ又は来客用押しボタンスイッチ等から信号が出力されると、その信号が無線信号に変換されて送信される。そして、送信された信号が警報送受信機にて受信されると、その警報送受信機の表示手段に異常又は来客に応じたメッセージ及びこのメッセージ表示に対応したキャラクタが表示されると共に受信された信号が携帯式の警報受信機へ向けて送信される。警報送受信機から送信された信号が警報受信機にて受信されると、上記同様に警報受信機の表示手段に異常又は来客に応じたメッセージ及びこのメッセージ表示に対応したキャラクタが表示されると共に警報受信機本体が振動する。
【００１４】
【実施例】
以下、図面を参照して本発明の福祉用防災システムの一実施例について説明する。
図１は本発明に係る福祉用防災システムの実施例１の全体構成を示すブロック図である。
（I）実施例１．
Ａ．福祉用防災システムの構成
（ａ）全体構成
福祉用防災システムは、図１に示すように無線式火災警報器１や無線式ガス漏れ警報器２等の各種警報器（警報送信機）と携帯式警報受信機５０とから構成される。無線式火災警報器１は煙を検出して火災信号を送信するものであり、無線式ガス漏れ警報器２はガス漏れセンサ３からの信号を移報器４を介して取り込んでガス漏れ信号を送信する。これら無線式警報器は、センサ部とこのセンサ部の出力を電波を利用して送信する無線送信部とから構成され、これらセンサ部と無線送信部は互いに嵌合するようになっている。これら無線式警報器は簡単な工事によって天井や壁等に取り付けることができる。
【００１５】
その他、防犯センサ等のセンサからの信号や非常用押しボタン及び来客ボタン等の押しボタンスイッチからの信号も図示せぬ無線式警報器から送信される。なお、一つの無線式警報器が一括して各種センサや押しボタンスイッチからの信号を取り込んで送信する場合もある。いずれにおいてもセンサからの信号を送信するものである。以下、無線式火災警報器１を例に挙げる。
【００１６】
（ｂ）無線式火災警報器１の構成
図２は無線式火災警報器１の構成を示すブロック図である。この図において、１１はセンサであり、煙を検出することで検出信号を出力する。１２はＲＡＭであり、ＣＰＵ１３の動作において使用されると共にアドレス等の記憶に使用される。１４はＲＯＭであり、ＣＰＵ１３を制御するためのプログラムが記憶されている。１５はアドレス設定器であり、無線式火災警報器１のアドレス番号の設定に使用する。このアドレス設定器１５によって設定されたアドレスがＣＰＵ１３によってＲＡＭ１２の所定の領域に書き込まれる。
【００１７】
ＣＰＵ１３はセンサ１１からの信号を入力すると、その信号に基づいてデータを作成し、更にそのデータとＲＡＭ１２に記憶されたアドレスデータとから送信データを作成して変調部１６に供給する。変調部１６はＣＰＵ１３から供給された送信データを変調してＲＦ送信部１７へ出力する。ＲＦ送信部１７は変調部１６からの変調データを無線信号に変換してアンテナ１８から出力する。ＲＦ送信部１７は特定小電力無線に適合した電波型式及び送信出力を有するものである。なお、他の無線式警報器もこの無線式火災警報器１と略同様の構成をなしている。
【００１８】
次に、携帯式警報受信機５０の構成について説明する。
（ｃ）携帯式警報受信機５０の構成
図３は携帯式警報受信機５０の構成を示すブロック図である。この図において、３０は発振部であり、基準クロック信号を出力する。３１は分周部であり、発振部３０より出力されるクロック信号を分周して本警報受信機５０に必要とされるクロック信号を出力する。この分周部３１によって分周されたクロック信号はＣＰＵ３２に取り込まれる。３３はキー入力部であり、図示せぬ電源オン／オフキーの他に図４に示すように、照明／復旧キーＫ２、防犯セットキーＫ３及び来客セットキーＫ４を有して構成される。
【００１９】
電源オン／オフキーはこの警報受信機５０の電源のオン／オフを設定するものである。照明／復旧キーＫ２はランプ３８の点灯／消灯と、表示部３６に表示しているメッセージ及びキャラクタの消去と、振動の停止とを行なうものであり、ランプ３８が消灯しているときにこの照明／復旧キーＫ２を押すと、ランプ３８が点灯すると共に表示部３６の表示の消去並びに振動が停止する。この場合、現在時刻が表示されているときにこの照明／復旧キーＫ２を押しても現在時刻の表示は消去されず、異常や来客を示すメッセージ及びキャラクタが表示されているときにこの照明／復旧キーＫ２を押すと表示されている異常や来客を示すメッセージ及びキャラクタが消去される。また、一度ランプ３８が点灯するとこの照明／復旧キーＫ２を再度押すまでは継続して点灯し続ける。
【００２０】
防犯セットキーＫ３は防犯に係わる処理を行なうか否かを設定するものであり、防犯セットした場合は侵入に係わるデータが受信された際に侵入を知らせる表示が行なわれると共に振動が発生する。防犯セットしない場合は侵入に係わるデータが受信されても侵入を知らせる表示が行なわれず、また振動も発生しない。来客セットキーＫ４は来客に係わる処理を行なうか否かを設定するものであり、来客セットした場合は来客に係わるデータが受信された際に来客を知らせる表示が行なわれると共に振動が発生し、来客セットしない場合は来客に係わるデータが受信されても来客を知らせる表示が行なわれず、また振動も発生しない。
【００２１】
ＲＡＭ３４はＣＰＵ３２の動作において使用されると共に各種レジスタが設定される。
（ｄ）ＲＡＭ３４のエリアマップ
ＲＡＭ３４には以下に示すレジスタが設定される。
表示レジスタ：表示を行なうデータを記憶する為のレジスタ
計時レジスタ：計時を行なう為のレジスタ
Ｌレジスタ：照明／復旧キーＫ２の設定状態を判別する為のレジスタ
Ｍレジスタ：防犯セットキーＫ３の設定状態を判別する為のレジスタ
Ｎレジスタ：来客セットキーＫ４の設定状態を判別する為のレジスタ
Ｔタイマレジスタ：１５０分間の計測に使用するタイマ
【００２２】
３５はＲＯＭであり、ＣＰＵ３２を制御するためのプログラムが記憶されている。また、ＲＯＭ３５には火災、ガス漏れ、侵入、非常及び来客等に応じた複数のメッセージと複数のキャラクタが記憶されている。３６は表示部であり、ＲＯＭ３５に記憶された各種メッセージやキャラクタの表示に使用される。この表示部３６には例えば液晶が用いられる。ここで、図５は表示部３６にて表示されるキャラクタの一例を示す図であり、この図に示す（ａ）は火災警報、（ｂ）はガス漏れ警報、（ｃ）は侵入警報、（ｄ）は来客報知、（ｅ）は電池電圧低下報知及び（ｆ）定期通報異常報知である。
図３に戻り、３７は表示制御部であり、ＣＰＵ３２から供給される表示データ及び制御信号にしたがって表示部３６の表示を行なう。３８はランプであり、表示部３６の照明に使用される。このランプ３８は照明／復旧キーＫ３が押されることにより点灯する。３９は異なる２つ色（例えば赤色と緑色）の発光を行なう発光ダイオードであり、表示制御部３７により点滅駆動される。
【００２３】
４０は振動発生部であり、携帯式警報受信機５０の本体を振動させる。この振動発生部４０としては例えばボイスコイルモータ又は通常のモータが使用される。通常のモータ場合はその回転軸に偏心してウェイトが取り付けられる。４１は振動駆動部であり、ＣＰＵ３２からの制御信号にしたがって振動発生部４０を駆動する。４２はバッテリ電圧検出部であり、図示せぬバッテリ（電池）の電圧を検出する。このバッテリ電圧検出部４２による検出結果はＣＰＵ３２に取り込まれる。４３はアンテナ、４４はＲＦ受信部であり、アンテナ４３から取り込んだ無線信号のなかから特定の周波数の無線信号を選択して出力する。４５は復調部であり、ＲＦ受信部４４からの無線信号をデータを復調する。復調部４５にて復調されたデータはＣＰＵ３２に取り込まれる。
【００２４】
（ｅ）ＣＰＵ３２の主な制御内容
（イ）復調部４５から出力されるデータを入力し、異常の種別及び警報器の特定を行なう。例えば無線式火災警報器１が設置されていて、この無線式火災警報器１から無線信号が送信された場合、ＣＰＵ３２は復調部４５から出力されるアドレスデータにより無線式火災警報器１を特定し、更に異常データより火災を特定する。
（ロ）特定した異常及び警報器に対応するメッセージデータ及びキャラクタデータをＲＯＭ３５から読み出し、これらを制御信号と共に表示制御部３７に供給する。例えば火災の場合は「カサイ」というメッセージデータを読み出すと共に火災のシンボルであるキャラクタデータを読み出す。そして読み出された各データは表示制御部３７によって表示部３６に表示される。この場合、図４に示すように表示される。
【００２５】
（ハ）異常の種別及び警報器の特定を行なった後、振動駆動部４１を制御して振動発生部４０を例えば１５秒間動作させる。特に、特定した異常が火災、ガス漏れ又は侵入の場合は振動が強くなるように振動駆動部４１を制御する。すなわち、緊急の度合いが大きいと判断した場合には来客時よりも振動が強くなるように制御する。
（ニ）また、火災、ガス漏れ又は侵入であると判断すると発光ダイオード３９を赤色で点滅させ、来客であると判断すると発光ダイオード３９を緑色で点滅させる。
【００２６】
（ヘ）照明／復旧キーＫ３が押されている間ランプ３８を点灯させる。
（ト）分周部３１からのクロック信号に基づいて計時を行ない、異常時、来客時、電池電圧低下時及び定期通報異常時以外は、時刻データを制御信号と共に表示制御部３７に供給する。これにより、異常時、来客時、電池電圧低下時及び定期通報異常時以外は表示部３６に時刻が表示される。
【００２７】
以上の構成において図面を参照しながら実施例１の福祉用防災システムの動作について説明する。
Ｂ．福祉用防災システムの動作
（ａ）無線式火災警報器１の動作
図６は無線式火災警報器１の動作を示すフローチャートである。
まず、ステップＳ１０でセンサ出力が有るか否かの判定を行なう。この判定においてセンサ出力が無いと判断するとステップＳ２２に進み、前回の定期通報から１５０分経過したか否かの判定を行なう。この判定において前回の定期通報から１５０分経過していないと判断するとステップＳ１０に戻る。これに対して前回の定期通報から１５０分経過したとステップＳ２４に進み、定期通報データを変調部１６に供給する。この処理を行なった後、ステップＳ１０に戻る。
【００２８】
上記ステップＳ１０の判定において、センサ出力が有ると判断するとステップＳ１２に進み、センサ出力をデータに変換する。次いで、ステップＳ１４でＲＡＭ１２に記憶されたアドレスデータを読み出し、このアドレスデータとセンサ出力を変換したデータとから送信データを作成する。そして、ステップＳ１６で送信データを変調部１６へ出力する。これにより送信データが変調される。そして、変調データがＲＦ送信部１７で無線信号に変換されてアンテナ１８から中空へ出力される。
ステップＳ１６の処理が終了した後、ステップＳ１８に進み、送信解除がされたか否かの判定を行なう。この判定において送信解除がされていないと判断するとステップＳ１６に戻り、繰り返し送信データの送信を行なう。これに対して送信解除がされたと判断するとステップＳ２０で送信を停止した後、ステップＳ１０に戻る。
【００２９】
（ｂ）携帯式警報受信機５０の動作
図７、図８及び図９は携帯式警報受信機５０の動作を示すフローチャートである。
（イ）ゼネラルフロー
図７は全体処理を示すゼネラルフローである。
まず、ステップＳ５０で受信データが有るか否かの判定を行なう。すなわち、復調部４４からデータが出力されたか否かの判定を行なう。この判定において、受信データが無いと判断するとステップＳ５２に進み、キー入力が有るか否かの判定を行なう。これに対して受信データが有ると判断するとステップＳ６４に進み、異常の種別及び警報器を特定する処理を行なう。この処理の詳細については後述する。
【００３０】
ステップＳ５２の判定においてキー入力が無いと判断するとステップＳ５４に進む。これに対してキー入力が有ると判断するとステップＳ６６に進み、キー入力処理を行なう。この処理の詳細については後述する。
ステップＳ５４に進むと計時処理を行なう。この処理はバッテリ（電池）が消耗するまで継続して行なわれる。計時処理に続いてステップＳ５６でバッテリの電圧をチェックする。そして、ステップＳ５８でチェックしたバッテリ電圧が所定値以下であるか否かを判定する。この判定においてバッテリ電圧が所定値以下になっていないと判断するとステップＳ６０に進み、現在時刻を表示する処理を行なう。これに対してバッテリ電圧が所定値以下であると判断するとステップＳ６２に進み、ＲＯＭ３５からバッテリ電圧低下を知らせるメッセージ及びキャラクタを読み込む。次いでステップＳ６０でバッテリ電圧低下を知らせるメッセージ及びキャラクタを表示する処理を行なう。この処理を行なった後、ステップＳ５０に戻る。
【００３１】
（ロ）異常種別及び警報器特定処理
図８及び図９は異常種別及び警報器特定処理を示すフローチャートである。
まず、ステップＳ７０で受信データが火災を示すものであるか否かの判定を行なう。この判定において火災を示すものであると判断するとステップＳ７２に進み、発光ダイオード３９を赤色で点滅させる。次いでステップＳ７４で振動を発生させる。この場合、火災であるので通常よりも強い振動を発生させる。振動を発生させる処理を行なった後、ステップＳ７６でＲＯＭ３５から火災を知らせるメッセージ及びキャラクタを読み出す。そして、ステップＳ６０（図７参照）に進み、火災を知らせるメッセージ及びキャラクタを表示部３６に表示させる。
【００３２】
上記ステップＳ７０の判定において、受信データが火災を示すものでないと判断するとステップＳ８０に進み、受信データがガス漏れを示すものであるか否かの判定を行なう。この判定においてガス漏れを示すものであると判断するとステップＳ８２に進み、発光ダイオード３９を赤色で点滅させる。次いでステップＳ８４で振動を発生させる。この場合、ガス漏れであるので通常よりも強い振動を発生させる。振動を発生させる処理後、ステップＳ８６でＲＯＭ３５からガス漏れを知らせるメッセージ及びキャラクタを読み出す。そして、ステップＳ６０（図７参照）に進み、ガス漏れを知らせるメッセージ及びキャラクタを表示部３６に表示させる。
【００３３】
上記ステップＳ８０の判定において、受信データがガス漏れを示すものでないと判断するとステップＳ９０に進み、受信データが侵入を示すものであるか否かの判定を行なう。この判定において侵入を示すものであると判断するとステップＳ９２に進み、Ｍレジスタの値が「１」であるか否か即ち防犯セットされているか否かの判定を行なう。この判定においてＭレジスタの値が「１」でない即ち防犯セットされていないと判断するとステップＳ６０（図７参照）に進む。この場合、侵入に関する表示は行なわれない。これに対してＭレジスタの値が「１」である即ち防犯セットされていると判断するとステップＳ９４に進み、発光ダイオード３９を赤色で点滅させる。次いでステップＳ９６で振動を発生させる。この場合、侵入であるので通常よりも強い振動を発生させる。振動を発生させる処理後、ステップＳ９８でＲＯＭ３５から侵入を知らせるメッセージ及びキャラクタを読み出す。そして、ステップＳ６０（図７参照）に進み、侵入を知らせるメッセージ及びキャラクタを表示部３６に表示させる。
【００３４】
上記ステップＳ９０の判定において、受信データが侵入を示すものでないと判断するとステップＳ１００（図９参照）に進み、受信データが来客を示すものであるか否かの判定を行なう。この判定において来客を示すものであると判断するとステップＳ１０２に進み、Ｎレジスタの値が「１」であるか否か即ち来客セットされているか否かの判定を行なう。この判定においてＮレジスタの値が「１」でない即ち来客セットされていないと判断するとステップＳ６０に進む（図７参照）。この場合、来客に関する表示は行なわれない。これに対してＮレジスタの値が「１」である即ち来客セットされていると判断するとステップＳ１０４に進み、発光ダイオード３９を緑色で点滅させる。次いでステップＳ１０６で振動を発生させる。この場合、来客であるので通常の大きさの振動を発生させる。振動を発生させる処理後、ステップＳ１０８でＲＯＭ３５から来客を知らせるメッセージ及びキャラクタを読み出す。そして、ステップＳ６０（図７参照）に進み、来客を知らせるメッセージ及びキャラクタを表示部３６に表示させる。
【００３５】
上記ステップＳ１００の判定において、受信データが来客を示すものでないと判断するとステップＳ１１０に進み、受信データが定期通報を示すものであるか否かの判定を行なう。この判定において定期通報を示すものであると判断するとステップＳ１１２に進み、発光ダイオード３９を緑色で点滅させる。次いでステップＳ６０に進む（図７参照）。この場合、定期通報に関する表示は行なわれない。一方、ステップＳ１１０の判定において、定期通報でないと判断するとステップＳ１１４で前回の定期通報からの経過時間が１５０分以上であるか否かの判定を行なう。この判定において前回の定期通報からの経過時間が１５０分以内であると判断するとステップＳＳ６０に進む（図７参照）。この場合、定期通報に関する表示は行なわれない。これに対して前回の定期通報からの経過時間が１５０分以上であると判断するとステップＳ１１６でＲＯＭ３５から定期通報異常を知らせるメッセージ及びキャラクタを読み出す。そして、ステップＳ６０（図７参照）に進み、定期通報異常を知らせるメッセージ及びキャラクタを表示部３６に表示させる。
【００３６】
（ハ）キー入力処理
図１０はキー入力処理を示すフローチャートである。
まず、ステップＳ１２０で電源オフか否かの判定を行なう。この判定において電源オフであると判断するとステップＳ１２２に進み、電源をオフして処理を終了する。これに対して電源オフでないと判断するとステップＳ１２４に進み、キー入力のあったキーが照明／復旧キーＫ２であるか否かの判定を行なう。この判定において、キー入力のあったキーが照明／復旧キーＫ２であると判断するとステップＳ１２６に進み、Ｌレジスタの値が「１」であるか否か即ち照明／復旧キーＫ２が先に押されていたか否かの判定を行なう。この判定において照明／復旧キーＫ２が先に押されていないと判断するとステップＳ１２８に進み、Ｌレジスタの値を「１」に設定する。この設定後ステップＳ１３０でランプ３８を点灯させる。
【００３７】
ランプ３８を点灯させた後、ステップＳ１３２で表示部３６に表示されているメッセージ及びキャラクタを消去し、また振動を停止させる。この処理後ステップＳ６０に進む（図７参照）。この場合、照明／復旧に関する表示は行なわれない。一方、ステップＳ１２６の判定において、照明／復旧キーＫ２が先に押されていると判断するとステップＳ１３４に進み、Ｌレジスタの値を「０」に設定し、次いでステップＳ１３６でランプ３８を消灯させる。ランプ３８を消灯させた後、ステップＳ１３２で表示部３６に表示されているメッセージ及びキャラクタを消去し、また振動を停止させる。この処理後ステップＳ６０に進む（図７参照）。この場合、照明／復旧に関する表示は行なわれない。
【００３８】
上記ステップＳ１２４の判定において、キー入力のあったキーが照明／復旧キーＫ２でないと判断するとステップＳ１４０に進み、キー入力のあったキーが防犯セットキーＫ３であるか否かの判定を行なう。この判定においてキー入力のあったキーが防犯セットキーＫ３であると判断するとステップＳ１４２に進み、Ｍレジスタの値が「１」であるか否か即ち防犯セットされたか否かの判定を行なう。この判定においてＭレジスタの値が「１」であると判断するとステップＳ１４４でＭレジスタの値を「０」に設定する。これに対してＭレジスタの値が「１」でないと判断するとステップＳ１４６でＭレジスタの値を「１」に設定する。ステップＳ１４４又は１４６の処理後、ステップＳ６０に進む（図７参照）。この場合、防犯に関する表示は行なわれない。
【００３９】
上記ステップＳ１４０の判定において、キー入力のあったキーが防犯セットキーＫ３でないと判断するとステップＳ１５０に進み、キー入力のあったキーが来客セットキーＫ４であるか否かの判定を行なう。この判定においてキー入力のあったキーが来客セットキーＫ４であると判断すると、ステップＳ１５２でＮレジスタの値が「１」であるか否か即ち来客セットされたか否かの判定を行なう。この判定においてＮレジスタの値が「１」であると判断すると、ステップＳ１５４でＮレジスタの値を「０」に設定する。これに対してＮレジスタの値が「１」でないと判断するとステップＳ１５６でＮレジスタの値を「１」に設定する。ステップＳ１５４又は１５６の処理後、ステップＳ６０に進む（図７参照）。この場合、来客に関する表示は行なわれない。
【００４０】
このように第１実施例では、火災、ガス漏れ又は防犯等のセンサ並びに非常用押しボタンスイッチ又は来客用押しボタンスイッチから信号が出力されると、その信号を無線信号に変換して送信する。そして、送信された信号を携帯式警報受信機５０が受信すると、その表示部３６に異常又は来客に応じたメッセージ又はキャラクタが表示されると共に本体が振動する。特に火災、ガス漏れ、侵入及び非常等の緊急の場合は通常よりも大きく振動する。
したがって、携帯式警報受信機５０を常時持ち歩くことができると共に表示と振動で異常を知らせることから、高齢者や難聴者及び視覚障害者等のハンディキャップを負った身体障害者でも確実に自家で生じた異常や来客を知ることができる。また、携帯式警報受信機５０は無線式であることから取り付け工事が不要であり、その分取り付け工事の省力化が図れると共に壁面に与える傷を最小限に抑えることができる。
【００４１】
（II）実施例２．
図１１は本発明に係る福祉用防災システムの実施例２の警報送受信機１００の外観を示す図であり、図１２は警報送受信機１００の透視図である。また、図１３は警報送受信機１００の構成を示すブロック図である。なお、無線式火災警報器１と携帯式警報受信機５０は上記第１実施例と同様であるのでこれらの構成及び動作は上記説明に代えるものとする。
【００４２】
Ａ．福祉用防災システムの構成
（ａ）警報送受信機１００の外観構成
図１１において、１０２は表示部であり、火災、ガス漏れ、侵入、非常及び来客等を知らせる表示を行なう。この表示部１０２は、火災、ガス漏れ、侵入、非常及び来客等に応じて描かれたシンボルと、これらシンボルに対応して警報送受信機１００の内部側に設けられた複数のランプ（図示略）とから構成されており、例えば火災が生じた場合には火災のシンボルに対応したランプが点滅する。１０３はスピーカであり、異常及び来客等を音声で出力するために使用される。１０５はアンテナである。
【００４３】
警報送受信機１００は電源として商用電源を使用するので、図１２に示すようにその背面にプラグ１０５が設けられている。このプラグ１０６をコンセント２００に差し込むことによって商用電源が得られる。また、警報送受信機１００の背面にはプラグ１０６の他にダミープラグ１０７が設けられており、このダミープラグ１０７はコンセント２００の他方の差し込み口に差し込むことができるようになっている。すなわち、プラグ１０６との距離がコンセント２００の上下の差し込み口の間隔と同間隔になるように設けられており、プラグ１０６をコンセント２００の一方の差し込み口に差し込む際にダミープラグ１０７もコンセント２００の他方の差し込み口に差し込むことができる。このダミープラグ１０７により警報送受信機１００が壁面に確実に固定される。プラグ１０５とダミープラグ１０７は警報送受信機１００の本体に対して可倒自在になっており、使用しない場合には倒しておくことができる。
【００４４】
（ｂ）警報送受信機１００の構成
図１３において、１２０は発振部であり、基準クロック信号を出力する。１２１は分周部であり、発振部１２０より出力されるクロック信号を分周して本警報送受信機１００に必要とされるクロック信号を出力する。この分周部１２１によって分周されたクロック信号はＣＰＵ１２２に取り込まれる。１２３は操作部であり、図示せぬ電源オン／オフキー、復旧キー、防犯セットキー、来客セットキー、非常スイッチ及びアドレス設定キー等を有して構成される。電源オン／オフキーは警報送受信機１００の電源のオン／オフを設定するものである。復旧キーは異常や来客等を知らせる音声メッセージの出力を停止させるものである。防犯セットキーは防犯に係わる処理を行なうか否かを設定するものであり、防犯セットした場合は侵入に係わるデータが受信された際に侵入を知らせる音声メッセージが出力される。防犯セットしない場合は侵入に係わるデータが受信されても侵入を知らせる音声メッセージの出力は行なわれない。
【００４５】
来客セットキーは来客に係わる処理を行なうか否かを設定するものであり、来客セットした場合は来客に係わるデータが受信された際に来客を知らせる音声メッセージが出力される。来客セットしない場合は来客に係わるデータが受信されても来客を知らせる音声メッセージの出力は行なわれない。非常スイッチは携帯式警報受信機５０に非常通報を行なう場合に使用される。アドレス設定キーは有線により接続される火災、ガス漏れ又は防犯等のセンサ並びに非常用押しボタンスイッチ又は来客用押しボタンスイッチに対してアドレスを設定する場合に使用される。このアドレス設定キーを使用して設定されたアドレスは後述するＲＡＭ１２４の所定の領域に記憶される。
【００４６】
ＲＡＭ１２４はＣＰＵ１２２の動作において使用されると共に各種レジスタが設定される。
（ｃ）ＲＡＭ１２４のエリアマップ
ＲＡＭ１２４には以下に示すレジスタが設定される。
計時レジスタ：計時を行なう為のレジスタ
Ｌレジスタ：復旧キーの設定状態を判別する為のレジスタ
Ｍレジスタ：防犯セットキーの設定状態を判別する為のレジスタ
Ｎレジスタ：来客セットキーの設定状態を判別する為のレジスタ
Ｔタイマレジスタ：１５０分間の計測に使用するタイマ
【００４７】
１２５はＲＯＭであり、ＣＰＵ１２２を制御するためのプログラムが記憶されている。１２７は表示制御部であり、ＣＰＵ１２２から供給される制御信号にしたがって表示部１０２の各ランプを点滅させる。１２８は異なる２つ色（例えば赤色と緑色）の発光を行なう発光ダイオードであり、表示制御部１２７により駆動される。１２９は音声合成増幅部であり、ＣＰＵ１２２から供給される制御データにしたがって音声合成した後、アナログの音声信号に変換して出力する。この場合、音声合成増幅部１２９には火災、ガス漏れ、侵入、非常及び来客等を知らせる音声データを記憶したメモリが設けられている。音声合成増幅部１２９からの音声信号はスピーカ１０３に供給される。
【００４８】
１３０はセンサ信号を入力する信号入力部であり、火災、ガス漏れ又は防犯等のセンサ並びに非常用押しボタンスイッチ又は来客用押しボタンスイッチからの信号を入力する。この信号入力部１３０により入力された信号はＣＰＵ１２２に取り込まれる。１３２はＲＦ送受信部であり、アンテナ１０５により取り込んだ無線信号から特定の周波数の無線信号を選択して出力する一方、変調されたデータを無線信号に変換してアンテナ１０５を介して中空へ出力する。このＲＦ送信部１３２は特定小電力無線に適合した電波型式及び送信出力を有するものである。１３３は変調／復調部であり、ＲＦ送受信部１３２からの無線信号をデータを復調する一方、ＣＰＵ１２２からのデータを変調する。この変調／復調部１３３にて復調されたデータはＣＰＵ１２２に取り込まれる。１３４は電源部であり、商用電源を整流して警報送受信機１００に必要とされる直流電圧を出力する。
【００４９】
（ｄ）ＣＰＵ１２２の主な制御内容
（イ）変調／復調部１３３から出力されるデータを入力し、異常の種別及び警報器の特定を行なう。例えば無線式火災警報器１が設置されていて、この無線式火災警報器１から無線信号が送信された場合、変調／復調部１３３から出力されるアドレスデータにより無線式火災警報器１を特定し、更に異常データより火災を特定する。
（ロ）特定した異常及び警報器に対応する表示を行なうための制御信号を表示制御部３７に供給する。例えば火災の場合は火災のシンボルに対応するランプを点滅させる。
【００５０】
（ハ）異常の種別及び警報器の特定を行なった後、火災、ガス漏れ、侵入、非常、来客及び定期通報異常を知らせる音声メッセージを音声合成増幅部１２９から出力させる制御を行なう。例えば火災の場合は「火災が発生しました」という音声メッセージを繰り返し出力させる。また、定期通報異常時の場合は「定期通報異常が発生しました」という音声メッセージを繰り返し出力させる。
（ニ）また、火災、ガス漏れ又は侵入であると判断すると発光ダイオード１２８を赤色で点滅させ、来客であると判断すると発光ダイオード１２８を緑色で点滅させる。
【００５１】
（ホ）変調／復調部１３３から出力されるデータを入力した後、このデータを送信するために変調／復調部１３３に供給する。
（ヘ）アドレス設定キーにて入力された火災、ガス漏れ又は防犯等のセンサ並びに非常用押しボタンスイッチ又は来客用押しボタンスイッチ（いずれも有線により接続される）のアドレスをＲＡＭ１２４の所定の領域に書き込む。
（ト）有線により接続された火災、ガス漏れ又は防犯等のセンサ並びに非常用押しボタンスイッチ又は来客用押しボタンスイッチからの信号を入力すると、その信号に基づいてデータを作成し、更にそのデータとＲＡＭ１２４に記憶されたアドレスデータとから送信データを作成して変調／復調部１３３に供給する。
【００５２】
以上の構成において図面を参照しながら実施例２の福祉用防災システムの動作について説明する。
図１４〜図１７は警報送受信機１００の動作を示すフローチャートである。
Ｂ．警報送受信機１００の動作
（イ）ゼネラルフロー
図１４は全体処理を示すゼネラルフローである。
まず、ステップＳ２００でセンサ出力即ち有線により接続された火災、ガス漏れ又は防犯等のセンサ並びに非常用押しボタンスイッチ又は来客用押しボタンスイッチからの信号が有るか否かの判定を行なう。この判定においてセンサ出力があると判断するとステップＳ２０２に進み、送信データ出力処理を行なう。この処理は前述した図６に示す処理と同様であるので説明を省略する。このステップＳ２０２の送信データ出力処理が終了するとステップＳ２００に戻る。
【００５３】
上記ステップＳ２００の判定においてセンサ出力が無いと判断するとステップＳ２０４に進み、受信データが有るか否かの判定を行なう。この判定において受信データが有ると判断するとステップＳ２０６に進み、異常種別及び警報器特定処理並びに送信処理を行なう。この処理の詳細は後述する。このステップＳ２０６の処理が終了するとステップＳ２００に戻る。
上記ステップＳ２０４の判定において受信データが無いと判断するとステップＳ２０８に進み、キー入力が有るか否かの判定を行なう。この判定においてキー入力が有ると判断するとステップＳ２１０に進み、キー入力処理を行なう。この処理の詳細は後述する。このステップＳ２１０の処理が終了するとステップＳ２００に戻る。
【００５４】
（ロ）異常種別及び警報器特定処理並びに送信処理
図１５及び図１６は異常種別及び警報器特定処理並びに送信処理を示すフローチャートである。
まず、ステップＳ２２０で受信データが火災を示すものであるか否かの判定を行なう。この判定において火災を示すものであると判断するとステップＳ２２２に進み、発光ダイオード１２８を赤色で点滅させる。次いでステップＳ２２４で火災を知らせる音声メッセージを出力させ、更にステップＳ２２６で火災を知らせる表示を行なう。火災を知らせる処理を行なった後、ステップＳ２２８で火災を示す受信データを送信する。すなわち、火災を示す受信データを変調／復調部１３３に供給する。この処理を行なった後、処理を抜ける。
【００５５】
上記ステップＳ２２０の判定において受信データが火災を示すものでないと判断すると、ステップＳ２３０で受信データがガス漏れを示すものであるか否かの判定を行なう。この判定においてガス漏れを示すものであると判断するとステップＳ２３２に進み、発光ダイオード１２８を赤色で点滅させる。次いでステップＳ２３４でガス漏れを知らせる音声メッセージを出力させ、更にステップＳ２３６でガス漏れを知らせる表示を行なう。ガス漏れを知らせる処理を行なった後、ステップＳ２３８でガス漏れを示す受信データを送信する。すなわち、ガス漏れを示す受信データを変調／復調部１３３に供給する。この処理を行なった後、処理を抜ける。
【００５６】
上記ステップＳ２３０の判定において受信データがガス漏れを示すものでないと判断すると、ステップＳ２４０に進み、受信データが侵入を示すものであるか否かの判定を行なう。この判定において侵入を示すものであると判断するとステップＳ２４２に進み、Ｍレジスタの値が「１」であるか否か即ち防犯セットされているか否かの判定を行なう。この判定においてＭレジスタの値が「１」でない即ち防犯セットされていないと判断すると処理を抜ける。この場合、侵入に関する表示は行なわれない。これに対してＭレジスタの値が「１」である即ち防犯セットされていると判断するとステップＳ２４４に進み、発光ダイオード１２８を赤色で点滅させる。次いでステップＳ２４６で侵入を知らせる音声メッセージを出力させ、更にステップＳ２４８で侵入を知らせる表示を行なう。侵入を知らせる処理を行なった後、ステップＳ２５０で侵入を示す受信データを送信する。すなわち、侵入を示す受信データを変調／復調部１３３に供給する。この処理を行なった後、処理を抜ける。
【００５７】
上記ステップＳ２４０の判定において、受信データが侵入を示すものでないと判断すると、ステップＳ２５２に進み、受信データが来客を示すものであるか否かの判定を行なう。この判定において来客を示すものであると判断するとステップＳ２５４に進み、Ｎレジスタの値が「１」であるか否か即ち来客セットされているか否かの判定を行なう。この判定においてＮレジスタの値が「１」でない即ち来客セットされていないと判断すると処理を抜ける。この場合、来客に関する表示は行なわれない。これに対してＮレジスタの値が「１」である即ち来客セットされていると判断すると、ステップＳ２５６に進み、発光ダイオード１２８を緑色で点滅させる。次いでステップＳ２５８で来客を知らせる音声メッセージを出力させ、更にステップＳ２６０で来客を知らせる表示を行なう。来客を知らせる処理を行なった後、ステップＳ２６２で来客を示す受信データを送信する。すなわち、来客を示す受信データを変調／復調部１３３に供給する。この処理を行なった後、処理を抜ける。
【００５８】
上記ステップＳ２５２の判定において、受信データが来客を示すものでないと判断するとステップＳ２６４に進み、受信データが定期通報を示すものであるか否かの判定を行なう。この判定において定期通報を示すものであると判断するとステップＳ２６６に進み、発光ダイオード１２８を緑色で点滅させる。この処理を行なった後処理を抜ける。
上記ステップＳ２６４の判定において、受信データが定期通報を示すものでないと判断するとステップＳ２６８に進み、前回の定期通報からの経過時間が１５０分以上であるか否かの判定を行なう。この判定において前回の定期通報からの経過時間が１５０分以上でないと判断すると処理を抜ける。これに対して前回の定期通報からの経過時間が１５０分以上であると判断するとステップＳ２７０に進み、発光ダイオード１２８を赤色で点滅させる。次いでステップＳ２７２で定期通報異常を知らせる音声メッセージを出力させ、更にステップＳ２６７４で定期通報異常を知らせる表示を行なう。定期通報異常を知らせる処理を行なった後、ステップＳ２７６で定期通報異常を示す受信データを送信する。すなわち、定期通報異常を示す受信データを変調／復調部１３３に供給する。この処理を行なった後、処理を抜ける。
【００５９】
（ハ）キー入力処理
図１７はキー入力処理を示すフローチャートである。
まず、ステップＳ３００で電源オフか否かの判定を行なう。この判定において電源オフであると判断するとステップＳ３０２に進み、電源をオフして処理を終了する。これに対して電源オフでないと判断するとステップＳ３０４に進み、キー入力のあったキーが復旧キーであるか否かの判定を行なう。この判定において、キー入力のあったキーが復旧キーであると判断するとステップＳ３０６に進み、音声メッセージの出力を停止する。更にステップＳ３０８でＬＥＤ１２８の点滅を停止する。この処理を行なった後処理を抜ける。
【００６０】
上記ステップＳ３０４の判定において、キー入力のあったキーが復旧キーでないと判断するとステップＳ３１０でキー入力のあったキーが防犯セットキーであるか否かの判定を行なう。この判定においてキー入力のあったキーが防犯セットキーであると判断するとステップＳ３１２に進み、Ｍレジスタの値が「１」であるか否か即ち防犯セットされたか否かの判定を行なう。この判定においてＭレジスタの値が「１」であると判断すると、ステップＳ３１４でＭレジスタの値を「０」に設定する。これに対してＭレジスタの値が「１」でないと判断するとステップＳ３１６でＭレジスタの値を「１」に設定する。ステップＳ３１４又は３１６の処理後処理を抜ける。
【００６１】
上記ステップＳ３１０の判定において、キー入力のあったキーが防犯セットキーでないと判断するとステップＳ３１８でキー入力のあったキーが来客セットキーであるか否かの判定を行なう。この判定においてキー入力のあったキーが来客セットキーであると判断するとステップＳ３２０に進み、Ｎレジスタの値が「１」であるか否か即ち来客セットされたか否かの判定を行なう。この判定においてＮレジスタの値が「１」であると判断するとステップＳ３２２でＮレジスタの値を「０」に設定する。これに対してＮレジスタの値が「１」でないと判断するとステップＳ３２４でＮレジスタの値を「１」に設定する。ステップＳ３２２又は３２４の処理後処理を抜ける。
【００６２】
上記ステップＳ３１８の判定において、キー入力のあったキーが防犯セットキーでないと判断するとステップＳ３２６でキー入力のあったキーがアドレス設定キーであるか否かの判定を行なう。この判定においてキー入力のあったキーがアドレス設定キーであると判断するとステップＳ３２８に進み、入力したアドレスをＲＡＭ１２４の所定の領域に書き込む。これに対してキー入力のあったキーがアドレス設定キーでないと判断すると、何もせず処理を抜ける。
【００６３】
このように第２実施例では、火災、ガス漏れ又は防犯等のセンサ並びに非常用押しボタンスイッチ又は来客用押しボタンスイッチ等から信号が出力されると、これを無線信号に変換して送信する。そして、送信された信号を警報送受信機１００が受信すると、警報送受信機１００は表示部１０２に異常又は来客に応じたシンボルを点滅表示させる。更に受信した信号を警報受信機５０に向けて送信する。警報送受信機１００から送信された信号を警報受信機５０が受信すると、実施例１で説明したように表示部３６に異常又は来客に応じたメッセージ又はキャラクタを表示すると同時に本体を振動させる。
【００６４】
また、警報送受信機１００の背面に設けたプラグ１０６によりコンセント２００から商用電源を取り込む。また、コンセントに空いている差し込み口がある場合は警報送受信機１００の背面に設けたダミープラグ１０７を差し込むことができる。また、警報送受信機１００は火災、ガス漏れ又は防犯等のセンサ並びに非常用押しボタンスイッチ又は来客用押しボタンスイッチ等からの信号を有線を介して取り込むと、その信号をデータに変換しアドレスデータと共に送信データを作成して送信する。
したがって、警報送受信機１００をコンセント２００にて固定することができるので取り付け工事が不要である。また、この警報送受信機１００と警報受信機５０のみでも自家で生じた異常や来客を知ることができるので、完全に工事が不要になり壁面に傷を付けることが全くない。高齢者や難聴者及び視覚障害者等のハンディキャップを負った身体障害者への導入が極めて容易に行なえる。
【００６５】
なお、本発明は上記各実施例に限らず、本発明の目的の範囲内で各種の実施態様が可能である。具体的には、次のようにしても良い。
（イ）実施例１では、緊急の度合いに応じて振動の強弱を変化させるようにしたが、振動させる間隔を変化させるようにしても良い。例えば緊急の度合いが大きい場合には短い間隔で断続的に振動させ、緊急の度合いが小さい場合には緊急の度合いが大きい場合よりも長い間隔で断続的に振動させる。このようにしても高齢者や難聴者に異常や来客があったことを容易に知らせることができる。
（ロ）また、火災、ガス漏れ、侵入、非常及び来客のそれぞれにおいて振動の間隔を異なるようにしても良い。このようにすると、異常の種別と来客を区別することが可能になる。
（ハ）実施例１及び２では、異常の場合として火災、ガス漏れ及び侵入について説明したが、その他、非常にあってもこれらと同様に処理すれば良い。
【００６６】
（ニ）実施例１及び２では、緊急の度合いに応じて発光ダイオード３９、１２９の発光色を変化させるようにしたが、単一色として点滅間隔を変化させるようにしても良い。例えば緊急の度合いが大きい場合には短い間隔で点滅させ、緊急の度合いが小さい場合には緊急の度合いが大きい場合よりも長い間隔で点滅させる。
（ホ）実施例２における警報送受信機１００では、音声と表示によりユーザーに異常等を知らせるようにしたが、音声や表示の他にフラッシュライト等でも異常を知らせるようにしても良い。
（ヘ）実施例１では、無線式火災警報器１に送信手段である変調部１６及びＲＦ送信部１７を設けたが、外付けの送信手段を利用しても良い。
【００６７】
（ト）実施例２では、火災、ガス漏れ、防犯、非常及び来客等に応じたシンボルを点滅表示するようにしたが、警報受信機５０と同様に液晶表示器等に火災、ガス漏れ、防犯、非常及び来客等に対応するメッセージ又はキャラクタを表示するようにしても良い。
（チ）実施例２では、無線式火災警報器１と警報受信機５０と警報送受信機１００の送受信周波数を同一にしたが、無線式火災警報器１の送信周波数（ｆ1）と警報送受信機１００の受信周波数（ｆ1）を同一とし、警報送受信機１００の送信周波数（ｆ2）と警報受信機５０の受信周波数（ｆ2）を同一にしても良い。
また、無線式火災警報器１と警報受信機５０と警報送受信機１００のそれぞれにおいて複数の送信又は受信チャンネルを設けて任意に選択できるようにしても良い。
（リ）実施例１及び２では、無線式火災警報器１及び警報送受信機１００の送信出力及び送信周波数と、警報送受信機１００及び警報受信機５０の受信周波数を特定小電力無線に適合させたが、その他、ペ−ジャに適合した送信出力及び電波型式であっても良い。
【００６８】
（ヌ）実施例２において、ダミープラグ１０７をプラグ１０６と同様に電源取り込み用として使用しても良い。このようにすると、コンセントの差し込み口が１つしか無い場合に任意の一方を使用することができる。このような場合、警報送受信機１００の固定強度が低下するが、面ファスナー等を使用することで固定強度を高めることができる。
【００６９】
（ル）実施例１の無線式火災警報器１と携帯式警報受信機５０を既設の防災設備に適用するようにしても良い。例えば図１８に示すように、既設の防災設備３００の地区ベルライン３１０から有電圧の警報信号を貰い、移報器４００によって無電圧の警報信号を無線式火災警報器３に供給するようにする。火災が生じて地区ベルライン３１０に電圧が供給されると、移報器４００から警報信号が出力される。この警報信号を入力した無線式火災警報器３は火災を示す送信データを送信する。この送信データを受信した携帯式警報受信機５０はその表示部３６に火災を知らせるメッセージ及びキャラクタを表示すると共に振動を行なう。なお、無線式火災警報器３の電源は商用電源でも電池でも良い。
このような無線式火災警報器３と移報器４００と携帯式警報器５０からなる福祉用用防災システムをホテル等の宿泊施設に用意しておくことにより、高齢者や難聴者が宿泊する場合にそれらの人達の安全性を確保することができる。
【００７０】
【発明の効果】
本発明によれば、以下に示す効果が得られる。
（１）警報受信機を携帯式として常時持ち歩くことができるようにすると共にメッセージ及びこのメッセージ表示に対応したキャラクタと振動により異常や来客があったことを知らせるとともに、セット状態では前記表示と前記振動を行い、セットされていない状態では前記表示及び前記振動を行わないように制御するので、高齢者や難聴者及び視覚障害者等のハンディキャップを負った身体障害者でも確実に自家で生じた異常や来客を知ることができる。
（２）緊急の度合いに応じて振動の強さが変化するので、表示を見るまでもなく、緊急の際には素速い対処や避難をすることができる。
【００７１】
（３）警報受信機を無線式とすることで、その分取り付け工事の省力化が図れ、更に壁面に与える傷を最小限に抑えることができる。
（４）警報送受信機と警報受信機のみでも異常の発生や来客があったことを知ることができるので完全に工事が不要になり、壁面に傷を付けることが全くない。
【図面の簡単な説明】
【図１】本発明に係る福祉用防災システムの実施例１の全体構成を示す図である。
【図２】実施例１の福祉用防災システムの無線式火災警報器１の構成を示すブロック図である。
【図３】実施例１の福祉用防災システムの警報受信機５０の構成を示すブロック図である。
【図４】実施例１の福祉用防災システムの警報受信機５０の外観を示す斜視図である。
【図５】実施例１の福祉用防災システムの警報受信機５０で表示されるメッセージ及びキャラクタの一例を示す図である。
【図６】実施例１の福祉用防災システムの無線式火災警報器１の動作を示すフローチャートである。
【図７】実施例１の福祉用防災システムの警報受信機５０の動作を示すフローチャートである。
【図８】実施例１の福祉用防災システムの警報受信機５０の動作を示すフローチャートである。
【図９】実施例１の福祉用防災システムの警報受信機５０の動作を示すフローチャートである。
【図１０】実施例１の福祉用防災システムの警報受信機５０の動作を示すフローチャートである。
【図１１】本発明に係る福祉用防災システムの実施例２の警報送受信機１００の外観を示す斜視図である。
【図１２】実施例２の福祉用防災システムの警報送受信機１００の透視図である。
【図１３】実施例２の福祉用防災システムの警報送受信機１００の構成を示すブロック図である。
【図１４】実施例２の福祉用防災システムの警報送受信機１００の動作を示すフローチャートである。
【図１５】実施例２の福祉用防災システムの警報送受信機１００の動作を示すフローチャートである。
【図１６】実施例２の福祉用防災システムの警報送受信機１００の動作を示すフローチャートである。
【図１７】実施例２の福祉用防災システムの警報送受信機１００の動作を示すフローチャートである。
【図１８】本発明に係る福祉用防災システムの応用例を示す図である。
【図１９】従来の福祉用防災システムの全体構成を示す図である。
【符号の説明】
１、３  無線式火災警報器（警報送信機）
２  無線式ガス漏れ警報器（警報送信機）
４、４００  移報器
１１  センサ
１２、３４、１２４  ＲＡＭ
１３、３２、１２２  ＣＰＵ
１４、３５、１２５  ＲＯＭ
１５  アドレス設定部
１６  変調部
１７  ＲＦ送信部
１８、４３、１０５  アンテナ
３０、１２０  発振部
３１、１２１  分周部
３３  キー入力部
３６、１０２  表示部
３７、１２７  表示制御部
３８  ランプ
３９、１２８  発光ダイオード
４０  振動発生部
４１  振動駆動部
４２  バッテリ電圧検出部
４４  ＲＦ受信部
４５  復調部
５０  携帯式警報受信機
１００  警報送受信機
１０３  スピーカ
１０６  プラグ
１０７  ダミープラグ
１２３  操作部
１２９  音声合成増幅部
１３０  入力部
１３２  ＲＦ送受信部
１３３  変調／復調部
１３４  電源部
２００  コンセント
３００  防災設備
３１０  地区ベルライン
【図１】
0003853388.tif 000002
【図２】
0003853388.tif 000003
【図３】
0003853388.tif 000004
【図４】
0003853388.tif 000005
【図５】
0003853388.tif 000006
【図６】
0003853388.tif 000007
【図７】
0003853388.tif 000008
【図８】
0003853388.tif 000009
【図９】
0003853388.tif 000010
【図１０】
0003853388.tif 000011
【図１１】
0003853388.tif 000012
【図１２】
0003853388.tif 000013
【図１３】
0003853388.tif 000014
【図１４】
0003853388.tif 000015
【図１５】
0003853388.tif 000016
【図１６】
0003853388.tif 000017
【図１７】
0003853388.tif 000018
【図１８】
0003853388.tif 000019
【図１９】
0003853388.tif 000020